(57)【要約】  本発明は、チャネル状態情報（ＣＳＩ）報告を制御するための方法および装置に関する。本発明の一実施形態によれば、ロング・ターム・エボリューション（ＬＴＥ）モバイル通信ネットワークの基地局においてユーザ機器（ＵＥ）のＣＳＩ報告を制御するための方法が、提供される。本方法は、ＵＥについてのＣＳＩ報告セットを決定するステップを含んでおり、ここでＣＳＩ報告セットは、複数のＣＳＩフィードバック・モードを含んでおり、また各ＣＳＩフィードバック・モードは、チャネル測定のための非ゼロ電力基準信号（ＮＺＰ  ＲＳ）リソース部分と、干渉測定のための干渉測定リソース（ＩＭＲ）部分とを含むように規定される。さらに、本方法は、ＣＳＩ報告セットを示す無線リソース制御（ＲＲＣ）信号をＵＥに対して送信するステップをさらに含んでいる。
2015531198.tif 000002
【特許請求の範囲】
【請求項１】
ロング・ターム・エボリューション（ＬＴＥ）モバイル通信ネットワークの基地局において、ユーザ機器（ＵＥ）のチャネル状態情報（ＣＳＩ）報告を制御するための方法であって、以下のステップ、すなわち、
前記ＵＥについてのＣＳＩ報告セットを決定するステップであって、前記ＣＳＩ報告セットは、複数のＣＳＩフィードバック・モードを含んでおり、また各ＣＳＩフィードバック・モードは、チャネル測定のための非ゼロ電力基準信号（ＮＺＰ  ＲＳ）リソース部分と、干渉測定のための干渉測定リソース（ＩＭＲ）部分とを含むように規定される、ステップと、
前記ＣＳＩ報告セットを示す無線リソース制御（ＲＲＣ）信号を前記ＵＥに対して送信するステップと
を含む方法。
【請求項２】
前記ＣＳＩ報告セットは、すべての可能性のあるＣＳＩフィードバック・モードを含んでおり、また前記方法は、
ダウンリンク制御情報（ＤＣＩ）信号を前記ＵＥに対して送信するステップであって、前記ＤＣＩ信号は、前記複数のＣＳＩフィードバック・モードの中の、前記ＵＥの前記ＣＳＩ報告を伴う前記部分を示している、ステップ
をさらに含む請求項１に記載の方法。
【請求項３】
前記複数のＣＳＩフィードバック・モードのうちのいくつかのサブセットを決定するステップであって、前記ＤＣＩ信号は、前記複数のＣＳＩフィードバック・モードのうちの、前記ＵＥの前記ＣＳＩ報告を伴うサブセットを示している、ステップ
をさらに含む請求項２に記載の方法。
【請求項４】
前記複数のＣＳＩフィードバック・モードの中の、前記ＵＥの前記ＣＳＩ報告を伴う前記部分は、特定のＩＭＲに対応しており、また前記ＤＣＩ信号は、前記特定のＩＭＲを示している、請求項２に記載の方法。
【請求項５】
前記複数のＣＳＩフィードバック・モードの中の、前記ＵＥの前記ＣＳＩ報告を伴う前記部分は、特定のＮＺＰ  ＲＳリソースに対応しており、また前記ＤＣＩ信号は、前記特定のＮＺＰ  ＲＳリソースを示している、請求項２に記載の方法。
【請求項６】
ロング・ターム・エボリューション（ＬＴＥ）モバイル通信ネットワークにおいて、ユーザ機器（ＵＥ）のチャネル状態情報（ＣＳＩ）報告を制御するために適した基地局であって、
前記ＵＥについてのＣＳＩ報告セットを決定するように構成された第１のユニットであって、前記ＣＳＩ報告セットは、複数のＣＳＩフィードバック・モードを含んでおり、また各ＣＳＩフィードバック・モードは、チャネル測定のための非ゼロ電力基準信号（ＮＺＰ  ＲＳ）リソース部分と、干渉測定のための干渉測定リソース（ＩＭＲ）部分とを含むように規定される、第１のユニットと、
前記ＣＳＩ報告セットを示す無線リソース制御（ＲＲＣ）信号を前記ＵＥに対して送信するように構成されたトランスミッタと
を備える基地局。
【請求項７】
前記ＣＳＩ報告セットは、すべての可能性のあるＣＳＩフィードバック・モードを含んでおり、前記トランスミッタは、さらに、前記ＵＥに対してダウンリンク制御情報（ＤＣＩ）信号を送信するように構成されており、また前記ＤＣＩ信号は、前記複数のＣＳＩフィードバック・モードの中の、前記ＵＥの前記ＣＳＩ報告を伴う前記部分を示している、請求項６に記載の基地局。
【請求項８】
前記複数のＣＳＩフィードバック・モードのうちのいくつかのサブセットを決定するように構成された第２のユニットであって、前記ＤＣＩ信号は、前記複数のＣＳＩフィードバック・モードのうちの、前記ＵＥの前記ＣＳＩ報告を伴うサブセットを示している、第２のユニット
をさらに備える請求項７に記載の基地局。
【請求項９】
前記複数のＣＳＩフィードバック・モードの中の、前記ＵＥの前記ＣＳＩ報告を伴う前記部分は、特定のＩＭＲに対応しており、また前記ＤＣＩ信号は、前記特定のＩＭＲを示している、請求項７に記載の基地局。
【請求項１０】
前記複数のＣＳＩフィードバック・モードの中の、前記ＵＥの前記ＣＳＩ報告を伴う前記部分は、特定のＮＺＰ  ＲＳリソースに対応しており、また前記ＤＣＩ信号は、前記特定のＮＺＰ  ＲＳリソースを示している、請求項７に記載の基地局。
【請求項１１】
前記ＣＳＩ報告セットは、可能性のあるＣＳＩフィードバック・モードの一部分を含んでおり、また前記ＣＳＩ報告セットの中のすべての前記ＣＳＩフィードバック・モードは、前記ＵＥの前記ＣＳＩ報告を伴う、請求項６に記載の基地局。
【請求項１２】
前記トランスミッタは、前記ＵＥの非周期的ＣＳＩ報告をトリガするＤＣＩ信号を送信するようにさらに構成されている、請求項１１に記載の基地局。
【請求項１３】
前記ＣＳＩ報告セットの中の各ＣＳＩフィードバック・モードは、特定のＩＭＲを伴う、請求項１１に記載の基地局。
【請求項１４】
前記ＣＳＩ報告セットの中の各ＣＳＩフィードバック・モードは、同じＩＭＲを共用する、請求項１１に記載の基地局。
【請求項１５】
前記ＤＣＩ信号は、ＣＳＩ要求フィールドを含む、請求項７または１２に記載の基地局。
【発明の詳細な説明】
【技術分野】
【０００１】
本発明は、一般に、モバイル通信技術に関し、またより詳細には、チャネル状態情報（ＣＳＩ：Ｃｈａｎｎｅｌ  Ｓｔａｔｅ  Ｉｎｆｏｒｍａｔｉｏｎ）フィードバックに関する。
【背景技術】
【０００２】
ロング・ターム・エボリューション（ＬＴＥ：Ｌｏｎｇ  Ｔｅｒｍ  Ｅｖｏｌｕｔｉｏｎ）システムなど、現代のモバイル通信システムにおいては、基地局は、ダウンリンク（ＤＬ）と、アップリンク（ＵＬ）とにおいて使用されるべき送信フォーマットと、送信ブロック・サイズと、変調および符号化のスキームと、多入力多出力（ＭＩＭＯ：Ｍｕｌｔｉｐｌｅ  Ｉｎｐｕｔ  Ｍｕｌｔｉｐｌｅ  Ｏｕｔｐｕｔ）送信モードなどとを決定する。ＤＬについてのそのような決定を実行するために、基地局は、ユーザ機器（ＵＥ：Ｕｓｅｒ  Ｅｑｕｉｐｍｅｎｔ）からの現在のＤＬチャネルの性能についての情報を必要としており、また情報は、一般に、チャネル状態情報（ＣＳＩ）と称される。
【０００３】
周波数分割多重化（ＦＤＤ：Ｆｒｅｑｕｅｎｃｙ  Ｄｉｖｉｓｉｏｎ  Ｍｕｌｔｉｐｌｅｘｉｎｇ）ＤＬ協調マルチ・ポイント（協調マルチ・ポイント、ＣｏＭＰ）送信は、カバレッジ・エリア、セル・エッジ・スループット、および／またはスペクトル効率を改善する際における可能性を有する。ＣｏＭＰ送信においては、共同送信（ＪＴ：Ｊｏｉｎｔ  Ｔｒａｎｓｍｉｓｓｉｏｎ）、ダイナミック・ポイント選択（ＤＰＳ：Ｄｙｎａｍｉｃ  Ｐｏｉｎｔ  Ｓｅｌｅｃｔｉｏｎ）、ダイナミック・ポイント・ブランキング（ＤＰＢ：Ｄｙｎａｍｉｃ  Ｐｏｉｎｔ  Ｂｌａｎｋｉｎｇ）、協調スケジューリング／ビーム形成（ＣＳ／ＣＢ：Ｃｏｏｒｄｉｎａｔｅｄ  Ｓｃｈｅｄｕｌｉｎｇ／Ｂｅａｍｆｏｒｍｉｎｇ）など、複数の送信モードが、存在している。さらに、ＤＰＳは、ＪＴと結合されることもある。その上、ＪＴと、ＣＳ／ＣＢとのハイブリッド・タイプもまた可能である。
【０００４】
ＣｏＭＰにおける送信モードの多様性は、ＵＥが、複数の干渉を仮定することに直面する可能性があることを意味し、したがってＣｏＭＰについての干渉測定が必要である。干渉測定リソース（ＩＭＲ：Ｉｎｔｅｒｆｅｒｅｎｃｅ  Ｍｅａｓｕｒｅｍｅｎｔ  Ｒｅｓｏｕｒｃｅ）の導入のために、従来のＣＳＩ報告モードは、もはや適用可能ではない。
【発明の概要】
【発明が解決しようとする課題】
【０００５】
本発明の一実施形態の１つの目的は、ＩＭＲのネットワーク構成をサポートすることができるＣＳＩ報告モードを提供することである。
【課題を解決するための手段】
【０００６】
本発明の一実施形態によれば、ＬＴＥモバイル通信ネットワークの基地局においてＵＥのＣＳＩ報告を制御するための方法が、提供される。本方法は、ＵＥについてのＣＳＩ報告セットを決定するステップを含んでおり、ここでは、ＣＳＩ報告セットは、複数のＣＳＩフィードバック・モードを含んでおり、また各ＣＳＩフィードバック・モードは、チャネル測定のための非ゼロ電力基準信号（ＮＺＰ  ＲＳ：Ｎｏｎ−Ｚｅｒｏ  Ｐｏｗｅｒ  Ｒｅｆｅｒｅｎｃｅ  Ｓｉｇｎａｌ）リソース部分と、干渉測定のためのＩＭＲ部分とを含むように規定される。その上、本方法は、ＣＳＩ報告セットを示す無線リソース制御（ＲＲＣ：Ｒａｄｉｏ  Ｒｅｓｏｕｒｃｅ  Ｃｏｎｔｒｏｌ）信号をＵＥに対して送信するステップをさらに含んでいる。
【０００７】
本発明の別の実施形態によれば、ＬＴＥモバイル通信ネットワークにおけるＵＥのＣＳＩ報告を制御するために適している基地局が、提供される。基地局は、第１のユニットと、トランスミッタとを含んでいる。第１のユニットは、ＵＥについてのＣＳＩ報告セットを決定するように構成されており、ここではＣＳＩ報告セットは、複数のＣＳＩフィードバック・モードを含んでおり、また各ＣＳＩフィードバック・モードは、チャネル測定のためのＮＺＰ  ＲＳリソース部分と、干渉測定のためのＩＭＲ部分とを含むように規定される。トランスミッタは、ＣＳＩ報告セットを示すＲＲＣ信号をＵＥに対して送信するように構成されている。
【０００８】
本発明の技術的特徴および利点は、本発明の以下の詳細な説明を理解することをより容易にするために、上記で要約されている。本発明の他の特徴と利点とは、以下で説明されることになり、これらは、本発明の特許請求の範囲の主題を形成している。開示された概念と、実施形態とは、本発明と同じ目的を実施するための他の構造またはプロシージャを修正し、または設計するための基礎として簡単に使用され得ることが、当業者によって理解されるべきである。同等な構造が、添付の特許請求の範囲の精神および範囲を逸脱しないこともまた、当業者によって理解されるべきである。
【０００９】
添付図面を参照すれば、本発明の例示の実施形態についての以下の詳細な説明は、理解することがより簡単である。本発明は、例を通して例証されており、また添付図面だけに限定されることはない。添付図面における同様の記号は、同様のコンポーネントを示している。
【図面の簡単な説明】
【００１０】
【図１】本発明の一実施形態による、ＬＴＥモバイル通信ネットワークの基地局の中のＵＥのＣＳＩ報告を制御するための方法についてのフローチャートである。
【図２】本発明の一実施形態による、ＬＴＥモバイル通信ネットワークの基地局の中のＵＥのＣＳＩ報告を制御するための方法についてのフローチャートである。
【図３】本発明の一実施形態による、ＬＴＥモバイル通信ネットワークの中のＵＥのＣＳＩ報告を制御するために適した基地局の構造的なブロック図である。
【発明を実施するための形態】
【００１１】
添付図面の詳細な説明は、本発明の実装の形態だけを表すというよりもむしろ、本発明の現在の例示の実施形態を示すことを意図している。同じ機能または同等機能は、本発明の精神および範囲の中に含まれることを意図している異なる実施形態によって完了され得ることを理解すべきである。
【００１２】
本明細書において説明される手段および機能は、プログラム制御マイクロプロセッサと、汎用コンピュータとを組み合わせたソフトウェア機能を使用することにより、実施されてもよく、かつ／または特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）を使用することにより、実施されてもよいことが、当業者によって理解されるべきである。本発明が、主として方法と装置との形態で示されるが、本発明はまた、コンピュータプログラム製品と、コンピュータ・プロセッサ、およびそのプロセッサに接続されたメモリを含むシステムとによって具体化される可能性があり、ここでメモリは、本明細書において開示される機能を完了することができる１つまたは複数のプログラムを使用することにより符号化されることも、理解されるべきである。
【００１３】
基地局は、異なるプロトコル規格において、異なる技術用語によって示されることが、当業者によって理解されるべきである。例えば、ＬＴＥシステムまたはＬＴＥ進化型（ＬＴＥ−Ａ）システムの中の基地局は、ノードＢまたは進化型ノードＢ（ｅＮＢ）と称される。本発明における基地局は、それだけには限定されないが、ＬＴＥ−ＡシステムにおけるｅＮＢとすることができる。
【００１４】
一般に、ＣＳＩ報告は、そのサービング基地局（サービングｅＮＢ）に対してＵＥによって送信され、またサービング基地局は、ＣＳＩ報告の構成を示す必要がある。図１は、本発明の一実施形態による、ＬＴＥモバイル通信ネットワークの基地局において、ＵＥのＣＳＩ報告を制御するための方法のフローチャートである。本方法は、ステップ１１０および１２０を含んでいる。
【００１５】
ステップ１１０において、サービング基地局は、ＵＥについてのＣＳＩ報告セットを決定する。ＣＳＩ報告セットは、ＵＥの複数のＣＳＩフィードバック・モードを含んでおり、ここで各ＣＳＩフィードバック・モードは、チャネル測定のためのＮＺＰ  ＲＳリソース部分と、干渉測定のためのＩＭＲ部分とを含むように規定される。
【００１６】
ステップ１２０において、サービング基地局は、ＣＳＩ報告セットを示すＲＲＣ信号をＵＥに対して送信する。ＲＲＣ信号を受信した後に、ＵＥは、ＣｏＭＰ送信のためのＣＳＩ報告の使用可能なリソースを学習する。
【００１７】
一実施形態によれば、ＣＳＩ報告セットは、すべての可能なＣＳＩフィードバック・モードを含んでいる。例えば、３つのＮＺＰ  ＣＳＩ−ＲＳリソースと、２つのＩＭＲとが、ＵＥに対して割り付けられるときに、ＣＳＩ報告セットは、表１に見られるように、６つのＣＳＩフィードバック・モードを含んでいる。ＮＺＰ  ＣＳＩ−ＲＳリソースまたはＩＭＲの数３または２は、単に例示的なものにすぎないが、限定するためのものではないことが、当業者によって理解されるべきである。
【００１８】
【表１】
2015531198.tif 000003
【００１９】
一般に、ネットワークによってサポートされるＣｏＭＰ問題解決手法は、すべての可能性のあるＣＳＩフィードバック・モードを伴ってはいない。それゆえに、サービング基地局は、システム・リソースを節約するためにＵＥのＣＳＩ報告を伴うＣＳＩフィードバック・モードをさらに示すことができる。この場合には、本方法は、ステップ１１０および１２０に加えて、ステップ１３０をさらに含むことができる。ステップ１３０において、サービング基地局は、ダウンリンク制御情報（ＤＣＩ：Ｄｏｗｎｌｉｎｋ  Ｃｏｎｔｒｏｌ  Ｉｎｆｏｒｍａｔｉｏｎ）信号をＵＥに対して送信し、ここでＤＣＩ信号は、複数のＣＳＩフィードバック・モードにおいて、ＵＥのＣＳＩ報告を伴う部分を示している。
【００２０】
３つの問題解決手法が、ＣＳＩフィードバック・モードのうちの、ＵＥのＣＳＩ報告を伴う部分を示すように提供される。
【００２１】
第１の問題解決手法においては、本方法は、図２に示されるように、ステップ１１０、１２０および１３０に加えて、ステップ１２５をさらに含んでいる。便宜のために、それらのステップの関係は、図２に示されているが、実際には、ステップ１２０と、ステップ１２５とは、特定の順序を有してはいない。ステップ１２５においては、サービング基地局は、複数のＣＳＩフィードバック・モードのうちのいくつかのサブセットを決定し、またステップ１３０において、送信されたＤＣＩ信号は、複数のＣＳＩフィードバック・モードのうちの、ＵＥのＣＳＩ報告を伴うサブセットを示す。これらのサブセットは、ＲＲＣ信号によってＵＥに対して示される可能性もある。各サブセットは、ネットワークによってサポートされ得るＣｏＭＰ問題解決手法に対応することが好ましい。表１に示される、可能性のあるＣＳＩフィードバック・モードのサブセットについての例示の構成は、表２の中で提供され、ここで第１のサブセットは、干渉測定を強調するＣｏＭＰ問題解決手法に対応しており、また第２、第３および第４のサブセットは、それぞれ第１、第２および第３の送信ポイント（ＴＰ：Ｔｒａｎｓｍｉｓｓｉｏｎ  Ｐｏｉｎｔ）を強調するＣｏＭＰ問題解決手法に対応する。この場合には、２−ビットのＤＣＩ信号は、ＣＳＩフィードバック・モードのサブセットのシーケンス番号を示すのに十分である。
【００２２】
【表２】
2015531198.tif 000004
【００２３】
表２における構成は、例示的なものであるが、限定するためのものではないことが、当業者によって理解されるべきである。ＣＳＩフィードバックのサブセットの構成についてのある種の原理は、以下のようであり、すなわち、（１）ＣＳＩフィードバックのサブセットの構成は、いくつかのＣｏＭＰ問題解決手法を伴い、またこれらのＣｏＭＰ問題解決手法は、ネットワークによってサポートされる可能性があり、またＲＲＣ信号の次の期間において採用されることもあり、（２）サブセットにおけるＣＳＩフィードバック・モードは、共通のＩＭＲを共用することもあり、または共用しないこともあり、（３）サブセットにおけるＣＳＩフィードバック・モードは、共通のＮＺＰ  ＣＳＩ−ＲＳリソースを共用することもあり、または共用しないこともあり、また（４）サブセットにおけるＣＳＩフィードバック・モードの数は、異なっていることもある。それゆえに、第１の問題解決手法は、ＮＺＰ  ＣＳＩ−ＲＳリソースと、ＩＭＲとの動的構成のために適している。
【００２４】
第２の問題解決手法においては、複数のＣＳＩフィードバック・モードの中の、ＵＥのＣＳＩ報告を伴う部分は、特定のＩＭＲに対応しており、またステップ１３０において送信されるＤＣＩ信号は、特定のＩＭＲを示す。例えば、２つのＩＭＲが、ＵＥに割り付けられ、またすべてのＮＺＰ  ＣＳＩ−ＲＳリソースが、２つのＩＭＲのうちの１つに関連づけられるときに、１−ビットのＤＣＩは、ＩＭＲ＊１またはＩＭＲ＊２のどちらが使用されるかを示すのに十分である。第１の問題解決手法とは違って、第２の問題解決手法は、明示的にＣＳＩフィードバックのサブセットを構成する必要はない。その代わりに、すべてのＮＺＰ  ＣＳＩ−ＲＳリソースは、特定のＩＭＲに関連づけられる。それゆえに、第２の問題解決手法は、動的干渉の仮定の場合に適している。
【００２５】
第３の問題解決手法においては、複数のＣＳＩフィードバック・モードの中の、ＵＥのＣＳＩ報告を伴う部分は、特定のＮＺＰ  ＲＳリソースに対応しており、またステップ１３０において送信されるＤＣＩ信号は、特定のＮＺＰ  ＲＳリソースを示している。例えば、３つのＮＺＰ  ＣＳＩ−ＲＳリソースが、ＵＥに割り付けられ、また各ＮＺＰ  ＣＳＩ−ＲＳリソースが、すべてのＩＭＲに関連づけられるときに、２−ビットのＤＣＩ信号は、ＮＺＰ  ＣＳＩ−ＲＳリソース＃１、＃２または＃３の選択を示すのに十分である。第１の問題解決手法とは違って、第３の問題解決手法は、明示的にＣＳＩフィードバックのサブセットを構成する必要はない。その代わりに、各ＮＺＰ  ＣＳＩ−ＲＳリソースは、すべてのＩＭＲに関連づけられる。それゆえに、第３の問題解決手法は、ＴＰの動的切り替えのために適している。
【００２６】
別の実施形態によれば、ステップ１１０において決定されるＣＳＩ報告セットは、可能性のあるＣＳＩフィードバック・モードの一部分を含んでおり、またＣＳＩ報告セットの中のすべてのＣＳＩフィードバック・モードが、ＵＥのＣＳＩ報告を伴う。
【００２７】
ある問題解決手法によれば、ＣＳＩ報告セットの中の各ＣＳＩフィードバック・モードは、特定のＩＭＲを必要とする。ＣＳＩ報告セットの中の各ＣＳＩフィードバック・モードが、特定のＮＺＰ  ＣＳＩ−ＲＳリソースを伴うことが好ましい。例えば、３つのＮＺＰ  ＣＳＩ−ＲＳリソースと、３つのＩＭＲとが、ＵＥに割り付けられるときに、ＣＳＩ報告セットは、表３に見られるように、３つのＣＳＩフィードバック・モードを含むことができる。ＮＺＰ  ＣＳＩ−ＲＳリソースまたはＩＭＲの数は、単に例示的なものにすぎないが、限定するものではないことが、当業者によって理解されるべきである。問題解決手法は、ネットワーク側においてスケジューリングするために必要とされるＵＬおよびＣＳＩの情報の上で限られたフィードバック・チャネルを補償することができる。
【００２８】
【表３】
2015531198.tif 000005
【００２９】
リソース割付けによれば、ＩＭＲ＊１からＩＭＲ＊３は、互いに直交しており、また３つのＩＭＲは、３つの異なる干渉の仮定を決定することができる。上記構成は、ＵＥ側からＣｏＭＰ特有のＣＳＩフィードバックを直接に提供することができる。例えば、第１のＣＳＩフィードバック・モードは、ＣＳ／ＣＢのために使用され、第２のＣＳＩフィードバック・モードが、ＤＰＳのために使用され、ここでＴＰ２は、ＴＰとして使用され、また第３のＣＳＩフィードバック・モードは、ＤＰＳのために使用され、ここでＴＰ３は、ＴＰとして使用される。
【００３０】
周期的なＣＳＩ報告では、ステップ１２０において送信されるＲＲＣ信号は、ＣＳＩ報告セットにおけるすべてのＣＳＩフィードバック・モードについての報告期間をプリセットする。
【００３１】
非周期的なＣＳＩ報告では、本方法は、ステップ１１０および１２０に加えて、ＵＥの非周期的ＣＳＩ報告をトリガするＤＣＩ信号を送信するステップを含むことができる。この場合には、１−ビットのインジケータは、トリガするために十分である。
【００３２】
別の問題解決手法によれば、ＣＳＩ報告セットの中の各ＣＳＩフィードバック・モードは、同じＩＭＲを共用する。例えば、３つのＮＺＰ  ＣＳＩ−ＲＳリソースと、いくつかのＩＭＲとが、ＵＥに割り付けられるときに、ＣＳＩ報告セットは、表４に見られるように、３つのＣＳＩフィードバック・モードを含むことができる。ＮＺＰ  ＣＳＩ−ＲＳリソースまたはＩＭＲの数は、単に例示のものにすぎないが、限定するためのものではないことが、当業者によって理解されるべきである。
【００３３】
【表４】
2015531198.tif 000006
【００３４】
ＣＳＩフィードバック・モードは、スケジューリングするためにネットワークによって制御され、またＲＲＣ信号によって送信されるので、上記構成は、最大のスケジューリング柔軟性を提供することができる。それゆえに、ＣｏＭＰ特有のＣＳＩは、ネットワーク側において部分的に再構成される可能性がある。そのようなタイプの構成は、ある種のＣＳＩリソースを節約することができる。
【００３５】
周期的なＣＳＩ報告では、ステップ１２０において送信されるＲＲＣ信号は、ＣＳＩ報告セットの中のすべてのＣＳＩフィードバック・モードについての報告期間をプリセットする。
【００３６】
非周期的なＣＳＩ報告では、本方法は、ステップ１１０および１２０に加えて、ＵＥの非周期的なＣＳＩ報告をトリガするＤＣＩ信号を送信するステップを含むことができる。この場合には、１−ビットのインジケータは、トリガするために十分である。
【００３７】
すべての上記実施形態においては、ＤＣＩ信号は、ＣＳＩ要求フィールドの未定義アイテムを使用することができる。
【００３８】
図３は、本発明の一実施形態による、ＬＴＥモバイル通信ネットワークにおいてＵＥ２０のＣＳＩ報告を制御するために適した基地局１０の構造的ブロック図である。一般に、基地局１０は、ＵＥ２０のサービング基地局である。図３の中に示されるように、基地局１０は、第１のユニット３１０と、トランスミッタ（またはトランシーバ）３２０とを含んでいる。
【００３９】
第１のユニット３１０は、ＵＥ２０についてのＣＳＩ報告セットを決定するように構成されている。ＣＳＩ報告セットは、ＵＥ２０の複数のＣＳＩフィードバック・モードを含んでおり、ここで各ＣＳＩフィードバック・モードは、チャネル測定のためのＮＺＰ  ＲＳリソース部分と、干渉測定のためのＩＭＲ部分とを含むように規定される。
【００４０】
トランスミッタ３２０は、ＣＳＩ報告セットを示すＲＲＣ信号をＵＥ２０に対して送信するように構成されている。ＲＲＣ信号を受信した後に、ＵＥ２０は、ＣｏＭＰ送信のためのＣＳＩ報告の使用可能なリソースを学習する。
【００４１】
一実施形態によれば、ＣＳＩ報告セットは、すべての可能性のあるＣＳＩフィードバック・モードを含んでいる。例えば、３つのＮＺＰ  ＣＳＩ−ＲＳリソースと、２つのＩＭＲとが、ＵＥ２０に割り付けられるときに、ＣＳＩ報告セットは、表１に見られ得るように、６つのＣＳＩフィードバック・モードを含んでいる。ＮＺＰ  ＣＳＩ−ＲＳリソースまたはＩＭＲの数３または２は、単に例示的なものにすぎないが、限定するものではないことが、当業者によって理解されるべきである。
【００４２】
一般に、ネットワークによってサポートされるＣｏＭＰ問題解決手法は、すべての可能性のあるＣＳＩフィードバック・モードを必要とはしない。それゆえに、基地局１０は、システム・リソースを節約する、ＵＥ２０のＣＳＩ報告を必要とするＣＳＩフィードバック・モードをさらに示すことができる。この場合には、トランスミッタは、ＵＥ２０に対してＤＣＩ信号をさらに送信するように構成されていることもあり、ここでＤＣＩ信号は、複数のＣＳＩフィードバック・モードにおいて、ＵＥ２０のＣＳＩ報告を伴う部分を示している。
【００４３】
３つの問題解決手法が、ＣＳＩフィードバック・モードのうちの、ＵＥ２０のＣＳＩ報告を伴う部分を示すために提供される。
【００４４】
第１の問題解決手法においては、基地局１０は、複数のＣＳＩフィードバック・モードのいくつかのサブセットを決定するように構成された第２のユニット３３０を含んでおり、ここで、送信されたＤＣＩ信号は、複数のＣＳＩフィードバック・モードのうちのＵＥ２０のＣＳＩ報告を伴うサブセットを示している。これらのサブセットは、ＲＲＣ信号によってＵＥ２０に対して示される可能性もある。各サブセットは、ネットワークによってサポートされ得るＣｏＭＰ問題解決手法に対応することが好ましい。表１に示される、可能性のあるＣＳＩフィードバック・モードのサブセットの例示の構成が、表２の中に提供され、ここで、第１のサブセットは、干渉測定を強調するＣｏＭＰ問題解決手法に対応しており、また第２、第３および第４のサブセットは、それぞれ第１、第２および第３のＴＰを強調するＣｏＭＰ問題解決手法に対応している。この場合には、２−ビットのＤＣＩ信号は、ＣＳＩフィードバック・モードのサブセットのシーケンス番号を示すのに十分である。
【００４５】
表２の中の構成は、例示的なものであるが、限定するためのものではないことが、当業者によって理解されるべきである。ＣＳＩフィードバックのサブセットの構成についてのある種の原理は、以下のようであり、すなわち（１）ＣＳＩフィードバックのサブセットの構成は、いくつかのＣｏＭＰ問題解決手法を必要としており、またこれらのＣｏＭＰ問題解決手法は、ネットワークによってサポートされる可能性があり、またＲＲＣ信号の次の期間において採用されることもあり、（２）サブセットの中のＣＳＩフィードバック・モードは、共通のＩＭＲを共用することもあり、または共用しないこともあり、（３）サブセットの中のＣＳＩフィードバック・モードは、共通のＮＺＰ  ＣＳＩ−ＲＳリソースを共用することもあり、または共用しないこともあり、また（４）サブセットの中のＣＳＩフィードバック・モードの数は、異なることもある。それゆえに、第１の問題解決手法は、ＮＺＰ  ＣＳＩ−ＲＳリソースおよびＩＭＲの動的構成のために適している。
【００４６】
第２の問題解決手法においては、複数のＣＳＩフィードバック・モードの中の、ＵＥ２０のＣＳＩ報告を伴う部分は、特定のＩＭＲに対応しており、また送信されたＤＣＩ信号は、特定のＩＭＲを示している。例えば、２つのＩＭＲが、ＵＥ２０に割り付けられ、またすべてのＮＺＰ  ＣＳＩ−ＲＳリソースが、２つのＩＭＲのうちの一方に関連づけられるときに、１−ビットのＤＣＩは、ＩＭＲ＊１またはＩＭＲ＊２のどちらが使用されるかを示すのに十分である。第１の問題解決手法とは違って、第２の問題解決手法は、明示的にＣＳＩフィードバック・モードのサブセットを構成する必要はない。その代わりに、すべてのＮＺＰ  ＣＳＩ−ＲＳリソースが、特定のＩＭＲに関連づけられる。それゆえに、第２の問題解決手法は、動的干渉の仮定について適している。
【００４７】
第３の問題解決手法においては、複数のＣＳＩフィードバック・モードの中の、ＵＥ２０のＣＳＩ報告を伴う部分は、特定のＮＺＰ  ＲＳリソースに対応しており、また送信されたＤＣＩ信号は、特定のＮＺＰ  ＲＳリソースを示している。例えば、３つのＮＺＰ  ＣＳＩ−ＲＳリソースが、ＵＥ２０に割り付けられ、また各ＮＺＰ  ＣＳＩ−ＲＳリソースが、すべてのＩＭＲに関連づけられるときに、２−ビットのＤＣＩ信号は、ＮＺＰ  ＣＳＩ−ＲＳリソース＃１、＃２または＃３の選択を示すのに十分である。第１の問題解決手法とは違って、第３の問題解決手法は、明示的にＣＳＩフィードバックのサブセットを構成する必要はない。その代わりに、各ＮＺＰ  ＣＳＩ−ＲＳリソースは、すべてのＩＭＲに関連づけられる。それゆえに、第３の問題解決手法は、ＴＰの動的切り替えのために適している。
【００４８】
別の実施形態によれば、第１のユニット３１０によって決定されるＣＳＩ報告セットは、可能性のあるＣＳＩフィードバック・モードの一部分を含んでおり、またＣＳＩ報告セットの中のすべてのＣＳＩフィードバック・モードは、ＵＥ２０のＣＳＩ報告を必要とする。
【００４９】
ある問題解決手法によれば、ＣＳＩ報告セットの中の各ＣＳＩフィードバック・モードは、特定のＩＭＲを必要とする。ＣＳＩ報告セットの中の各ＣＳＩフィードバック・モードが、特定のＮＺＰ  ＣＳＩ−ＲＳリソースを伴うことが好ましい。例えば、３つのＮＺＰ  ＣＳＩ−ＲＳリソースと、３つのＩＭＲとが、ＵＥ２０に割り付けられるときに、ＣＳＩ報告セットは、表１において見られ得るように、３つのＣＳＩフィードバック・モードを含むことができる。ＮＺＰ  ＣＳＩ−ＲＳリソースまたはＩＭＲの数は、単に例示的なものにすぎないが、限定するためのものではないことが、当業者によって理解されるべきである。問題解決手法は、ネットワーク側でスケジューリングするために必要とされるＵＬおよびＣＳＩの情報の上で、限られたフィードバック・チャネルを補償することができる。
【００５０】
リソース割付けによれば、ＩＭＲ＊１からＩＭＲ＊３は、互いに直交しており、また３つのＩＭＲは、３つの異なる干渉の仮定を決定することができる。上記構成は、ＵＥ側からのＣｏＭＰ特有のＣＳＩフィードバックを直接に提供することができる。例えば、第１のＣＳＩフィードバック・モードが、ＣＳ／ＣＢのために使用され、第２のＣＳＩフィードバック・モードが、ＤＰＳのために使用され、ここでＴＰ２は、ＴＰとして使用され、また第３のＣＳＩフィードバック・モードが、ＤＰＳのために使用され、ここでＴＰ３は、ＴＰとして使用される。
【００５１】
周期的なＣＳＩ報告では、トランスミッタ３２０によって送信されるＲＲＣ信号は、ＣＳＩ報告セットの中のすべてのＣＳＩフィードバック・モードについての報告期間をプリセットする。
【００５２】
非周期的なＣＳＩ報告では、トランスミッタ３２０は、ＵＥの非周期的なＣＳＩ報告をトリガするＤＣＩ信号をさらに送信するように構成されていることもある。この場合には、１−ビットのインジケータは、トリガするために十分である。
【００５３】
別の問題解決手法によれば、ＣＳＩ報告セットの中の各ＣＳＩフィードバック・モードは、同じＩＭＲを共用する。例えば、３つのＮＺＰ  ＣＳＩ−ＲＳリソースと、いくつかのＩＭＲとが、ＵＥ２０に割り付けられるときに、ＣＳＩ報告セットは、表４において見られ得るように、３つのＣＳＩフィードバック・モードを含むことができる。ＮＺＰ  ＣＳＩ−ＲＳリソースまたはＩＭＲの数は、単に例示的なものにすぎないが、限定するためのものではないことが、当業者によって理解されるべきである。
【００５４】
ＣＳＩフィードバック・モードは、スケジューリングするためにネットワークによって制御され、またＲＲＣ信号によって送信されるので、上記の構成は、最大のスケジューリングの柔軟性を提供することができる。それゆえに、ＣｏＭＰ特有のＣＳＩは、ネットワーク側において、部分的に再構成される可能性がある。そのようなタイプの構成は、ある種のＣＳＩリソースを節約することができる。
【００５５】
周期的なＣＳＩ報告では、トランスミッタ３２０によって送信されるＲＲＣ信号は、ＣＳＩ報告セットの中のすべてのＣＳＩフィードバック・モードについての報告期間をプリセットする。
【００５６】
非周期的なＣＳＩ報告では、トランスミッタ３２０は、ＵＥの非周期的なＣＳＩ報告をトリガするＤＣＩ信号をさらに送信するように構成されている。この場合には、１−ビットのインジケータは、トリガするために十分である。
【００５７】
すべての上記の実施形態においては、ＤＣＩ信号は、ＣＳＩ要求フィールドの未定義のアイテムを使用することができる。
【００５８】
本発明の異なる実施形態が、上記で例証され、また説明されているが、本発明は、これらの実施形態だけに限定されるものではない。多数の修正形態と、変更形態と、変形形態と、置換形態と、等価形態とが、特許請求の範囲において説明される本発明の精神および範囲から逸脱することなく、当業者にとって明らかである。
【図１】
2015531198.tif 000007
【図２】
2015531198.tif 000008
【図３】
2015531198.tif 000009
【国際調査報告】
2015531198.tif 000010
2015531198.tif 000011
2015531198.tif 000012